(57)【要約】【課題】ウェディングアルバムのサービスを向上することが可能なＡＲコンテンツ提供システムを提供する。【解決手段】端末装置１０とサーバ装置２０とを備えたＡＲコンテンツ提供システム１であって、端末装置は、アルバム３０中のＡＲマーカ―となるアルバム画像３１を撮影することが可能な撮影部と、撮影部で撮影したアルバム画像をサーバ装置に送信する端末送信部と、撮影部で撮影したアルバム画像に対応するＡＲコンテンツを表示する表示部とを具備し、サーバ装置は、ＡＲマーカ―となるアルバム画像に対応するＡＲコンテンツを管理するＡＲコンテンツ管理情報格納部と、端末送信部から送信されたアルバム画像に対応するＡＲコンテンツをＡＲコンテンツ管理情報格納部から取得する制御部と、制御部により取得されたＡＲコンテンツを端末装置へ送信するサーバ送信部とを具備する。【選択図】図１
0003218489.tif 000002
【実用新案登録請求の範囲】
【請求項１】
端末装置とサーバ装置とを備えたＡＲコンテンツ提供システムであって、
前記端末装置は、
アルバム中のＡＲマーカ―となるアルバム画像を撮影することが可能な撮影部と、
前記撮影部で撮影した前記アルバム画像を前記サーバ装置に送信する端末送信部と、
前記撮影部で撮影した前記アルバム画像に対応するＡＲコンテンツを表示する表示部と
を具備し、
前記サーバ装置は、
前記ＡＲマーカ―となる前記アルバム画像に対応する前記ＡＲコンテンツを管理するＡＲコンテンツ管理情報格納部と、
前記端末送信部から送信された前記アルバム画像に対応する前記ＡＲコンテンツを前記ＡＲコンテンツ管理情報格納部から取得する制御部と、
前記制御部により取得された前記ＡＲコンテンツを前記端末装置へ送信するサーバ送信部と
を具備することを特徴とするＡＲコンテンツ提供システム。
【請求項２】
前記アルバムは、ウェディングアルバムであることを特徴とする請求項１に記載のＡＲコンテンツ提供システム。
【考案の詳細な説明】
【技術分野】
【０００１】
本考案は、ウェディングアルバムに適用することが可能なＡＲコンテンツ提供システムに関する。
【背景技術】
【０００２】
近年、スマートフォンやタブレット等の携帯端末装置において、拡張現実（ＡＲ：Augmented Reality）という技術が普及し始めている。このＡＲ技術では、携帯端末装置でＡＲマーカーとなる印刷物を撮影すると、その撮影画像に重畳して、別の画像、動画、文字等の各種情報（ＡＲマーカーに対応するコンテンツ）が表示される（例えば、特許文献１参照）。これにより、ユーザに、現実の空間が拡張したかのように感じさせることができる。
【０００３】
一方、結婚式では、披露宴の様子をスナップカメラで撮影し、厳選した写真をアルバムにまとめる。結婚式の披露宴の様子は、ビデオカメラで撮影し、編集したものをＤＶＤやＢｌｕ−ｒａｙ（登録商標）に収録する。また、披露宴において、新郎新婦の生い立ちや馴れ初めを過去の写真を使って紹介する演出映像や、結婚式当日のダイジェストをエンドロールと共に上映する演出映像があり、これらの演出映像はＤＶＤやＢｌｕ−ｒａｙに収録される。このため、結婚式の写真はアルバムで、結婚式の記録ビデオ映像や演出映像はＤＶＤやＢｌｕ−ｒａｙ（登録商標）でというように、別の媒体で見るのが通常であった。
【先行技術文献】
【特許文献】
【０００４】
【特許文献１】特開２０１４−１０６６１８号公報
【考案の開示】
【考案が解決しようとする課題】
【０００５】
本考案は、ウェディングアルバムのサービスを向上することが可能なＡＲコンテンツ提供システムを提供する。
【課題を解決するための手段】
【０００６】
本考案の一実施形態に係るＡＲコンテンツ提供システムは、端末装置とサーバ装置とを備えたＡＲコンテンツ提供システムであって、前記端末装置は、アルバム中のＡＲマーカ―となるアルバム画像を撮影することが可能な撮影部と、前記撮影部で撮影した前記アルバム画像を前記サーバ装置に送信する端末送信部と、前記撮影部で撮影した前記アルバム画像に対応するＡＲコンテンツを表示する表示部とを具備し、前記サーバ装置は、前記ＡＲマーカ―となる前記アルバム画像に対応する前記ＡＲコンテンツを管理するＡＲコンテンツ管理情報格納部と、前記端末送信部から送信された前記アルバム画像に対応する前記ＡＲコンテンツを前記ＡＲコンテンツ管理情報格納部から取得する制御部と、前記制御部により取得された前記ＡＲコンテンツを前記端末装置へ送信するサーバ送信部とを具備する。
【０００７】
前記ＡＲコンテンツ提供システムにおいて、前記アルバムは、ウェディングアルバムであってもよい。
【考案の効果】
【０００８】
本考案は、ウェディングアルバムのサービスを向上することが可能なＡＲコンテンツ提供システムを提供することができる。
【図面の簡単な説明】
【０００９】
【図１】本考案の一実施形態に係るＡＲコンテンツ提供システムを示す概念図。
【図２】本考案の一実施形態に係る端末装置を示すブロック図。
【図３】本考案の一実施形態に係るサーバ装置を示すブロック図。
【図４】本考案の一実施形態におけるサーバ装置に格納されているＡＲコンテンツ管理情報を示す図。
【図５】本考案の一実施形態に係るＡＲコンテンツ提供システムを用いたＡＲコンテンツの提供方法を説明するためのフロー図。
【考案を実施するための形態】
【００１０】
以下、実施形態について、図面を参照して説明する。尚、以下の説明において、同一の機能及び構成を有する要素については、共通する参照符号を付す。
【００１１】
［１］ＡＲコンテンツ提供システム
図１は、本考案の一実施形態におけるＡＲコンテンツ提供システムの概念図である。ここで、ＡＲコンテンツとは、いわゆるＡＲ（Augmented Reality；拡張現実）を実現するためのコンテンツであり、例えば、動画、映像、画像、写真、文字、楽曲、音声等が含まれる。
【００１２】
図１に示すように、ＡＲコンテンツ提供システム１は、端末装置１０、サーバ装置２０を含んでいる。端末装置１０及びサーバ装置２０は、ネットワーク４０を介して接続されている。
端末装置１０は、例えば、スマートフォンや携帯電話等の携帯端末、デスクトップ型、ノート型、タブレット型等の種々の形態のパソコン等が挙げられる。端末装置１０は、撮影部１１、表示部１２を備えている。
サーバ装置２０は、例えば、端末装置１０に提供するＡＲコンテンツを、アルバム画像３１毎に管理する。
ネットワーク４０は、有線又は無線の通信回線であり、例えば、インターネットやイントラネット、ＬＡＮ（Local Area Network）等である。
【００１３】
本実施形態のＡＲコンテンツ提供システム１では、ＡＲマーカーとなるアルバム画像３１を有するアルバム３０を用いる。サーバ装置２０には、ＡＲマーカーとなるアルバム画像３１毎に、対応するＡＲコンテンツが管理されている。そして、端末装置１０の撮影部１１でＡＲマーカーとなるアルバム画像３１が撮影されると、このアルバム画像３１に対応したＡＲコンテンツがサーバ装置２０から端末装置１０に提供され、このＡＲコンテンツが端末装置１０の表示部１２において表示される。
【００１４】
ここで、アルバム画像３１は、例えば、結婚式において、スナップカメラで撮影された披露宴等の様子を表した写真画像である。ＡＲマーカーとなるアルバム画像３１には、ユーザに向けた目印として、ＡＲマーク３２が付されていてもよい。
ＡＲコンテンツは、例えば、結婚式の披露宴等の様子をビデオカメラで撮影し編集した記録ビデオ映像（動画）、披露宴において新郎新婦の生い立ちや馴れ初めを過去の写真を使って紹介した演出映像（動画）等が挙げられる。
従って、本実施形態のＡＲコンテンツ提供システム１によれば、端末装置１０のカメラで、アルバム３０内のＡＲマーカーとなるアルバム画像３１を読み込むと、このアルバム画像３１にリンクした結婚式の記録ビデオ映像や上映された演出映像を端末装置１０で視聴することができる。
【００１５】
［２］端末装置
図２は、本考案の一実施形態における端末装置のブロック図である。
図２に示すように、端末装置１０は、撮影部１１、表示部１２、端末送信部１３、端末受信部１４、制御部１５を含んで構成されている。但し、端末装置１０は、図示する構成以外に、一般的な構成をさらに有してもよい。
【００１６】
撮影部１１は、ＡＲマーカーとなるアルバム画像３１を撮影し、このアルバム画像３１を取得する。アルバム画像３１とは、例えば、アルバム３０の各ページ内に掲載された写真画像である。このアルバム画像３１は、ページ全体の画像であってもよいし、ページの一部の画像であってもよい。尚、アルバム画像３１のデータ形式やデータ構造等は問わない。
撮影部１１は、例えば、ＣＭＯＳやＣＣＤ等のイメージセンサ（固体撮像素子）や、イメージセンサを用いたカメラ（デジタルスチルカメラ、デジタルビデオカメラ）等を用いて、アルバム画像３１を取得する。
撮影部１１は、例えば、上記イメージセンサやカメラ等の前方に、ユーザがアルバム３０を配置することにより、アルバム画像３１を取得する。撮影部１１が取得したアルバム画像３１は、端末装置１０が備える表示部１２（ディスプレイ）に出力される。
【００１７】
端末送信部１３は、撮影部１１が取得したアルバム画像３１を、サーバ装置２０に送信する。端末送信部１３は、例えば、撮影部１１がアルバム画像３１を取得する度に、このアルバム画像３１をサーバ装置２０に送信する。
【００１８】
端末受信部１４は、ＡＲコンテンツを、サーバ装置２０から受信する。このＡＲコンテンツは、端末送信部１３が送信したアルバム画像３１に対応している。端末受信部１４は、例えば、端末送信部１３によるアルバム画像３１の送信に対応して、ＡＲコンテンツを受信する。
【００１９】
表示部１２は、端末受信部１４が受信したＡＲコンテンツを出力したり、撮影部１１が取得したアルバム画像３１を出力したりする。ここで、出力とは、ディスプレイへの表示、プロジェクターを用いた投影、音出力、外部の装置への送信、記録媒体への蓄積等を含む。
従って、表示部１２は、アルバム画像３１を出力しながら、端末受信部１４が受信したＡＲコンテンツを出力する。つまり、表示部１２は、撮影したアルバム画像３１に重ねて、ＡＲコンテンツである画像や動画等を出力する。
表示部１２は、ディスプレイやスピーカー等の出力デバイスを含んでもよい。表示部１２は、出力デバイスのドライバーソフト、又は、出力デバイスのドライバーソフトと出力デバイス等で実現され得る。
【００２０】
制御部１５は、端末装置１０全体の各処理を制御する。
尚、本実施形態のＡＲコンテンツ提供システム１を利用するにあたり、端末装置１０には、予め、ＡＲアプリケーションをダウンロードしておくとよい。ユーザは、所定のＩＤ及びパスワードを入力することで、ＡＲアプリケーションにログインすることが可能である。
【００２１】
［３］サーバ装置
図３は、本考案の一実施形態におけるサーバ装置のブロック図である。図４は、本考案の一実施形態におけるサーバ装置に格納されているＡＲコンテンツ管理情報を示す図である。
図３に示すように、サーバ装置２０は、ＡＲコンテンツ管理情報格納部２１、サーバ受信部２２、制御部２３、サーバ送信部２４を含んで構成されている。但し、サーバ装置２０は、図示する構成以外に、一般的な構成をさらに有してもよい。
【００２２】
ＡＲコンテンツ管理情報格納部２１には、１以上のＡＲコンテンツ管理情報が格納されている。ここで、ＡＲコンテンツ管理情報は、図４に示すように、ＡＲマーカーとなるアルバム画像３１の画像データと、アルバム画像３１に対応するＡＲコンテンツデータ（例えば、映像データ）とを有する。このようなＡＲコンテンツ管理情報は、例えば、ウェディングアルバムの場合、各挙式のお客様（ユーザ）毎にＩＤ及びパスワードで管理されている。
【００２３】
サーバ受信部２２は、端末装置１０から送信されたアルバム画像３１を受信する。
【００２４】
制御部２３は、サーバ受信部２２が受信したアルバム画像３１に対応するＡＲコンテンツを、ＡＲコンテンツ管理情報格納部２１から取得する。この場合、制御部２３は、サーバ受信部２２が受信したアルバム画像３１に基づいて、ＡＲコンテンツ管理情報格納部２１に格納されている１以上のＡＲコンテンツ管理情報のうち、どのＡＲコンテンツ管理情報が、このアルバム画像３１と同一の画像データを有するか否かを判断する。そして、制御部２３は、当該有すると判断したＡＲコンテンツ管理情報が有するＡＲコンテンツを取得する。
【００２５】
サーバ送信部２４は、端末装置１０へアルバム画像３１に対応するＡＲコンテンツを送信する。
【００２６】
［４］ＡＲコンテンツの提供方法
図５は、本考案の一実施形態に係るＡＲコンテンツ提供システムを用いたＡＲコンテンツの提供方法を説明するためのフロー図である。以下に、本実施形態におけるＡＲコンテンツ提供システムの流れについて説明する。
【００２７】
ユーザは、ＡＲコンテンツ提供システム１を利用するにあたり、例えばスマートフォン等の端末装置１０に、ＡＲアプリケーションを予めダウンロードしておく（ＳＴ１）。また、ユーザは、結婚式のアルバム、ＡＲアプリケーションのＩＤ及びパスワードを取得している。
【００２８】
まず、ユーザは、端末装置１０を操作し、ＡＲアプリケーションを起動させる（ＳＴ２）。この際、ユーザは、ＡＲアプリケーションにおいて、ＩＤ及びパスワードを用いてログインする。
【００２９】
次に、ユーザは、アルバム３０の上に端末装置１０をかざし、端末装置１０が備えるカメラ機能を用いて、ＡＲマーカーとなるアルバム画像３１を撮影する。つまり、端末装置１０は、撮影部１１により、ＡＲマーカーとなるアルバム画像３１を撮影する。これにより、端末装置１０は、アルバム画像３１を取得する（ＳＴ３）とともに、表示部１２により撮影部１１が撮影したアルバム画像３１を出力する。
【００３０】
この際、端末装置１０は、端末送信部１３により、アルバム画像３１をサーバ装置２０に送信し、このアルバム画像に対応するＡＲコンテンツを要求する（ＳＴ４）。
【００３１】
サーバ装置２０は、サーバ受信部２２により、端末装置１０から送信されたアルバム画像３１を受信する。
【００３２】
サーバ装置２０において、制御部２３は、サーバ受信部２２が取得したアルバム画像３１に基づいて、このアルバム画像３１に対応するＡＲコンテンツを、ＡＲコンテンツ管理情報格納部１２から取得する（ＳＴ５）。
【００３３】
サーバ装置２０において、サーバ送信部２４は、制御部２３が取得したＡＲコンテンツを、端末装置１０に送信する（ＳＴ６）。
【００３４】
端末装置１０の端末受信部１４は、サーバ装置２０からＡＲコンテンツを受信する。
【００３５】
端末装置１０は、表示部１２により、端末受信部１４で受信したＡＲコンテンツを出力する（ＳＴ７）。この際、表示部１２は、撮影部１１による撮影の結果（アルバム画像３１）に重ねて、端末受信部１４が受信したＡＲコンテンツを出力する。
【００３６】
尚、上述したＡＲコンテンツ提供システムによるＡＲコンテンツの提供方法は、上記の各処理をコンピュータに実現させるプログラムであってもよい。このプログラムは、サーバ等からダウンロードされることによって実行されてもよいし、所定の記録媒体（例えば、ＣＤ−ＲＯＭ等の光ディスクや磁気ディスク、半導体メモリ等）に記録されたプログラムが読み出されることによって実行されてもよい。
【００３７】
また、ＡＲアプリケーションは、ユーザが利用する前に、例えば、以下の手順で、ＡＲコンテンツ提供システム１が利用できるように設定されている。まず、ＡＲアプリケーションにアクセスした後、ユーザのアカウントを作成し、ユーザのＩＤ及びパスワードを設定する。アルバム３０内の読み込ませるアルバム画像３１をアップロードし、保存する。アルバム画像３１の読み込み範囲を設定したら、このアルバム画像３１にリンクさせる映像（ＡＲコンテンツ）をアップロードする。映像が再生されるサイズをアルバム３０内のアルバム画像３１のサイズに合うように調整する。映像の再生アクションを設定し、終了する。
【００３８】
［５］効果
本実施形態によるＡＲコンテンツ提供システム１によれば、ＡＲマーカーとなるアルバム画像３１毎に、このアルバム画像３１に対応したＡＲコンテンツを管理する。これにより、ユーザが見ているアルバム画像３１に応じてＡＲコンテンツを提供することができる。
例えば、ＡＲマーカーとなるアルバム画像３１が、結婚式の入場風景が撮影された写真の場合、このアルバム画像３１に対応するＡＲコンテンツとして、結婚式における入場場面をビデオカメラで撮影した動画が対応付けされる。この場合、結婚式の入場風景が撮影されたアルバム画像３１に端末装置１０をかざすと、端末装置１０の画面には、結婚式の入場場面の動画が再生される。
【００３９】
このように、本実施形態のＡＲコンテンツ提供システム１によれば、ＡＲアプリケーションを利用した、結婚式の写真と映像が連動したウェディングアルバムを提供することができる。このため、結婚式の写真をアルバムで見ると同時に、この写真に対応した結婚式の記録ビデオ映像や演出映像を端末装置１０で見ることができる。これにより、ウェディングアルバムのサービスを向上することが可能となる。
【００４０】
尚、本考案のＡＲコンテンツ提供システム１は、ウェディングアルバムでの利用に限定されず、ブライダルで提供される様々な媒体に適用することが可能である。例えば、結婚式及び披露宴の招待状、席次表、ウェルカムボード、引き出物、サンクスカード、プチギフト、参列者へのお礼状及び年賀状等において、本考案のＡＲコンテンツ提供システムを適用することが可能である。
【００４１】
尚、本考案の実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００４２】
１…ＡＲコンテンツ提供システム
１０…端末装置
１１…撮影部
１２…表示部
１３…端末送信部
１４…端末受信部
１５…制御部
２０…サーバ装置
２１…ＡＲコンテンツ管理情報格納部
２２…サーバ受信部
２３…制御部
２４…サーバ送信部
３０…アルバム
３１…アルバム画像
３２…ＡＲマーク
４０…ネットワーク
【図１】
0003218489.tif 000003
【図２】
0003218489.tif 000004
【図３】
0003218489.tif 000005
【図４】
0003218489.tif 000006
【図５】
0003218489.tif 000007